(57)【要約】装置及びシステム、並びに方法及び製品は、回路の動作状態を指定された状態と比較し、仕様外の状態を記録し、幾つかの指定された数の記録された仕様外の状態を判定するために動作する場合がある。
2007525740.tif 000002
【特許請求の範囲】
【請求項１】
インデライブルメモリにおける集積回路で生じる少なくとも１つの過電圧の状態を記憶するステップを含む、
ことを特徴とする方法。
【請求項２】
指定された数の記憶された過電圧の状態を判定するステップを更に含む、
請求項１記載の方法。
【請求項３】
前記指定された数の記憶された過電圧の状態を示すステップを更に含む、
請求項２記載の方法。
【請求項４】
動作状態を指定された状態と比較するステップと、
インデライブルメモリに仕様外の状態を記録するステップと、
指定された数の記録された仕様外の状態を判定するステップと、
を含むことを特徴とする方法。
【請求項５】
前記仕様外の状態を過電圧の状態として検出するステップを更に含む、
請求項４記載の方法。
【請求項６】
指定された時間について前記仕様外の状態を検出するのを抑制するステップを更に含む、
請求項４記載の方法。
【請求項７】
前記指定された時間は、電源オンのリセット時間に関連する、
請求項６記載の方法。
【請求項８】
前記指定された状態は、集積回路に関連する推薦された動作電圧の上限を含む、
請求項４記載の方法。
【請求項９】
前記仕様外の状態を記録するステップは、クロック速度を前記仕様外の状態として記録するステップを含む、
請求項４記載の方法。
【請求項１０】
前記インデリブルメモリは、少なくとも１つのヒューズを有する、
請求項９記載の方法。
【請求項１１】
前記指定された数の記録された仕様外の状態は、前記インデリブルメモリに記憶されたサイン値を読取るステップを更に含む、
請求項４記載の方法。
【請求項１２】
関連するデータを有するマシンアクセス可能な媒体を有する製品であって、
前記データは、アクセスされたときに、
動作電圧を指定された電圧と比較するステップと、
インデリブルメモリに過電圧の状態を記録するステップと、
指定された数の記録された過電圧の状態を判定するステップと、
が実行される、
ことを特徴とする製品。
【請求項１３】
前記データは、アクセスされたときに、少なくとも１クロック周期の期間について動作電圧をフィルタリングするステップが実行される、
請求項１２記載の製品。
【請求項１４】
前記過電圧の状態を記録するステップは、前記動作電圧が選択された量だけ前記指定された電圧よりも大きい場合にのみ、前記過電圧の状態を記録するステップを更に含む、
請求項１２記載の製品。
【請求項１５】
前記選択された量は、期待される雑音の電圧値よりも少なくとも約２倍大きい、
請求項１４記載の製品。
【請求項１６】
前記データは、アクセスされたとき、前記過電圧の状態の記録を検証するステップが実行される、
請求項１２記載の製品。
【請求項１７】
電子回路により遭遇される選択された数の仕様外の動作状態を記憶するためのインデライブルメモリを有する、
ことを特徴とする装置。
【請求項１８】
前記選択された数の仕様外の動作状態の少なくとも１つの存在を判定するため、前記インデリブルメモリに結合される検出モジュールを更に有する、
請求項１７記載の装置。
【請求項１９】
前記検出モジュールに結合されるフィルタモジュールを更に有する、
請求項１８記載の装置。
【請求項２０】
前記インデライブルメモリはヒューズを有する、
請求項１７記載の装置。
【請求項２１】
前記仕様外の動作状態の少なくとも１つは、過電圧の状態を有する、
請求項１７記載の装置。
【請求項２２】
電子回路により遭遇される選択された数の仕様外の動作状態を記憶するためのインデライブルメモリと、
前記電子回路に結合されるディスプレイと、
を有することを特徴とするシステム。
【請求項２３】
前記電子回路はマクロプロセッサを有する、
請求項２２記載のシステム。
【請求項２４】
前記選択された数の仕様外の動作状態のそれぞれ１つを検出するためのロジックモジュールを更に有する、
請求項２２記載のシステム。
【請求項２５】
前記ロジックモジュールは、アナログーデジタルコンバータを有する、
請求項２４記載のシステム。
【請求項２６】
前記電子回路に関連される動作状態と比較される指定された状態を記憶するためのメモリを更に有する、
請求項２２記載のシステム。
【請求項２７】
前記指定された状態は、集積回路に関連される推薦される動作電圧の上限を有する、
請求項２６記載のシステム。
【請求項２８】
前記集積回路は、マイクロプロセッサを有する、
請求項２７記載のシステム。
【請求項２９】
前記選択された数の仕様外の動作状態を判定する基本入力−出力システムを更に有する、
請求項２２記載のシステム。
【発明の詳細な説明】
【技術分野】
【０００１】
本発明の様々な実施の形態は、指定された制限外の回路の動作を検出及び／又は記録可能な装置、システム及び方法を含む、回路の動作全般に関する。
【背景技術】
【０００２】
プロセッサを含む電子回路は、製造業者により推薦される状態以外の、高電圧、高周波のような指定された状態以外で動作するのを強制されることがある。残念なことに、かかる動作は、影響されたコンポーネントの信頼性及び寿命に影響を及ぼす場合がある。指定された限界以外の動作を示す特定の状態の存在を判定することは、コンポーネントの修復及び／又は取替えのために必要とされる時間及びコストを低減することになる。
【発明の開示】
【課題を解決するための手段】
【０００３】
本明細書で使用される幾つかの用語が以下のように定義される。「インデライブルメモリ“indelible  memory”」は、そこに記憶された後に消去することができないコンテンツを有するメモリのことである（たとえば、１以上のヒューズ、又は如何なるタイプのリードオンリメモリ）。「プロセッサ」は、マイクロプロセッサ、ステートマシーン、デジタルシグナルプロセッサ、及びエンベデッドプロセッサ、チップセット、及び１以上のプログラムされた命令を実行可能な他のタイプの回路を含んでいる。
【０００４】
様々な実施の形態は、試験又は推薦された使用状態以外で生じるイベントのサイン（signature）として、マイクロプロセッサを含む様々なコンポーネントの動作を動的に検出及び永続的に記録するように動作する場合がある。たとえば、幾つかの実施の形態では、これは、実際のコンポーネントの動作電圧と比較するためにプログラムされた、指定されたコンポーネントの動作電圧を提供するため、デジタル−アナログコンバータ（ＤＡＣ）を使用して達成される場合がある。次いで、電圧コンパレータは、おそらくプログラマブルリードオンリメモリ（ＰＲＯＭ）ヒューズをプログラムすることで、過電圧の動作が生じるたびにサインを捕らえるエラーロジックに比較の結果を供給する。関連されるソフトウェアプログラム（たとえば、基本入力−出力システム（ＢＩＯＳ））は、コンポーネントのそれぞれのパワーオンサイクルの間に結果的に得られたサインを読取る場合がある。指定された電圧レベルを超えてコンポーネントを動作しようとする選択された数の試みが行われた後、指定外の動作の指示が提供される場合がある（たとえば割込み）。捕らえられた、永続的なサインは、コンポーネントの製造業者への戻りに応じて故障の分析のために、おそらく特定のマシン向けのレジスタを使用して利用可能にされる場合もある。
【０００５】
仕様外（out-of-specification）の動作状態は過電圧状態を確かに含む場合があるが、他の状態も検出及び記録される場合がある。したがって、検出、モニタ及び記憶することができる指定された動作状態は、電圧レベル、電流レベル、信号タイミング及び／又はクロック速度、シグナルランプ（たとえばエッジ）の形状及び／又は速度、信号（たとえば電圧、電流、タイミング、ロジックプロトコル）、温度、及び関連される回路の動作と関連して規定される場合がある他の状態との間の関係を含んでいる。したがって、読者は、本明細書では電圧状態が一般に記載されるが、これは様々な実施の形態の動作を明確に説明する目的のためであり、他の動作状態が電圧状態の代わりに、電圧状態に加えて使用される場合があることを理解されたい。
【発明を実施するための最良の形態】
【０００６】
図１は、様々な実施の形態に係る装置１００及びシステム１１０のブロック図である。たとえば、装置１００は、如何なるタイプのプロセッサを含む電子回路１１８により遭遇される仕様外の選択された数の動作状態Ｃ１，Ｃ２，Ｃ３，．．．Ｃｎを記憶するため、（１以上のヒューズを有する場合がある）インデリブルメモリのようなメモリ１１４を有する場合がある。
【０００７】
また、装置１００は、選択された数の仕様外の動作状態Ｃ１，Ｃ２，Ｃ３，．．．Ｃｎのうちの少なくとも１つの存在を判定するため、メモリ１１４に結合される検出モジュール１２２を含む場合もある。検出モジュール１２２は、（たとえばアナログ又はデジタルといったモニタされている状態又はイベントのタイプに依存して）任意のアナログ−デジタルコンバータ（ＡＤＣ）１２４、及び／又はコンパレータ１２６、及び／又は、仕様外の動作状態Ｃ１，Ｃ２，Ｃ３，．．．Ｃｎの１つ、一部、又は全部の存在を検出するエラーロジック１３０のような１以上のロジックモジュールを含む場合がある。
【０００８】
たとえば、動作電圧ＶｃｃはＡＤＣ１２４に印加され、ＡＤＣ１２４からのデジタル出力コードは、リファレンスメモリのようなメモリ１３２により供給されるプログラムされた値Ｓ１に比較され、モニタされた電子回路１１８と関連される対応する動作状態と比較される１以上の指定された状態Ｓ１，Ｓ２，．．．，Ｓを記憶する。ＡＤＣ１２４のケースのように、任意のＤＡＣ１３３は、比較のための供給されるべきイベントのタイプ又は値Ｓ１（たとえばデジタル又はアナログ）に依存して、メモリ１３２及びコンパレータ１２６に結合される場合がある。最後の結果は、たとえば、電源１３４により回路１１８に供給される電圧Ｖｃｃが指定された電圧Ｓ１よりも大きい場合、結果的に得られる仕様外の動作状態はメモリ１１４に記憶される場合がある。
【０００９】
記憶される状態Ｃ１は、仕様の値Ｓ１が超えたことを示す１ビット、ＶｃｃがＳ１を超えたことを相対的な量を示す複数ビット、及び／又は、Ｖｃｃの実際の値のデジタル化されたバージョンである場合がある。コンパレータ１２６は、アナログコンパレータ又はデジタルコンパレータ、又はこれらの組み合わせである場合がある。勿論、当業者であれば、本実施の形態を読んで、他の指定された状態及び（たとえばメモリ１３２に記憶されたデータと相対的な）比較が回路１１８のタイプ、並びに検出及び記録されるべき動作状態１３６に対して適切になされることを認識されるであろう。
【００１０】
回路１１８のパワーオンシーケンスの間、実際の入力電圧（たとえば電源１３４により供給されるＶｃｃ）又はモニタ回路１１８に適用される他の動作状態１３６は、電流が流れ始める短時間の間に散漫に幾分変動する場合がある。したがって、装置１００は、検出された電圧Ｖｃｃ（及び／又は他の動作状態１３６、及び／又は比較の結果）を除くため、検出モジュール１２２に結合され、及び／又は検出モジュール１２２に含まれる任意のフィルタモジュール１３８を有する場合がある。フィルタモジュール１３８は、電圧又は電流をフィルタリングするために動作するか、又は動作状態１３６（たとえば印加された電圧Ｖｃｃ）が指定された状態（たとえばプログラム又は指定された電圧Ｓ１）と比較される前に、時間を遅らせるために単に作用する。また、フィルタモジュール１３８は、記録されるべきイベントに関連するノイズ同様に、擬似のイベント又は状態をフィルタリングするために動作する場合がある。
【００１１】
幾つかの実施の形態では、システム１１０は、電子回路１１８に結合されるディスプレイ１４０と同様に装置１００を含む場合がある。ディスプレイ１４０は、仕様外の状態を表示するために使用される場合がある、グラフィカルユーザインタフェース１５０を表示するために使用される場合がある。
【００１２】
また、システム１１０は、集積回路の場合があるモニタされる電子回路１１８と関連される対応する動作状態と比較されるべき１以上の指定された状態Ｓ１，Ｓ２，．．．，Ｓｎを記憶するためにメモリ１３２を含む場合がある。たとえば、指定された状態Ｓ１，Ｓ２，．．．，Ｓｎは、回路１１８に関連する推薦される動作電圧の上限を有する場合がある。また、システム１１０は、おそらく回路１１８に結合されるメモリ１６２に記憶される、ＢＩＯＳ１５４及びオペレーティングシステム１５８のような１以上の関連するソフトウェアプログラムを含む場合がある。ＢＩＯＳ１５４は、選択された数の仕様外の動作状態を判定するために使用される場合がある（たとえば、３つの仕様外の動作状態Ｃ１，Ｃ２及びＣ３が検出及び記録されたとき、ＢＩＯＳ１５４は、ディスプレイ１４０の仕様外の状態のグラフィカルな指示の表示を促す割込み１６６を使用することでこの発生を示す場合がある）。
【００１３】
幾つかの実施の形態は、様々なタイプの回路コンポーネントを使用して実現される場合がある。たとえば、図２は、様々な実施の形態に係るか電圧検出器（ＯＶＤ）１７０の回路ブロック図である。図３は、様々な実施の形態に係るフィルタリング及びヒューズロジックの回路ブロック図である。ＯＶＤ１７０は、アナログ出力をコンパレータ１７６に供給するため、ヒューズ及びエンコードされたＰＯＶ（Programmed  Operating  Voltage）１７４を読取るためにＤＡＣ１７２を含む場合がある。コンパレータ１７６の出力は、電力（たとえばＶｃｃ）がモニタされる回路（図示せず）に印加された後に、Ｖｃｃオーバリミット（ＶｃｃＯＬ）信号１８０の形式でノイズフィルタカウンタ（ＮＦＣ）による許容値について処理される場合がある。ＶｃｃＯＬ信号１８０は、ＰＲＯＭ／ヒューズビット１８４をプログラムするため、（モニタされる回路又は装置が機能的に動作していることを示す）パワーイズグッド（PowerIsGood）信号１８２によりイネーブルにされる場合がある。過電圧サイン（Over  Voltage  Signature）１８６は、回路が仕様外の動作状態にされる選択された回数を示すため、動作状態（たとえば入力電圧Ｖｃｃ）、ＰＲＯＭ／ヒューズ出力１８８及びパワーイズグッド信号１８２の組み合わせを含む場合がある。ＢＩＯＳ又はオペレーティングシステムのようなソフトウェアメカニズムは、サイン１８６を読取り、選択された数に到達したときに（おそらく割り込みを介して）、プロセッサのような回路が過度の状態であることを示すサイン１８６を報知する。ディスプレイ１４０は、仕様外の状態を表示するために使用される場合がある。ポリヒューズエレメントは、サイン１８６を記憶するために使用される場合がある。他のタイプのインデリブルメモリも使用される場合がある。
【００１４】
装置１００、システム１１０、メモリ１１４、電子回路１１８、検出モジュール１２２、ＡＤＣ１２４、コンパレータ１２６、エラーロジック１３０、メモリ１３２、ＤＡＣ１３３、１７２、電源１３４、動作状態１３６、フィルタモジュール１３８、ディスプレイ１４０、グラフィカルユーザインタフェース１５０、ＢＩＯＳ１５４、オペレーティングシステム１５８、メモリ１６２、割込み１６６、ＯＶＤ１７０、ＰＯＶ１７４、コンパレータ１７６、ＮＦＣ１７８、ＶｃｃＯＬ信号１８０、ＰｏｗｅｒＩｓＧｏｏｄ信号１８２、ＰＲＯＭ／ヒューズビット１８４、ＯＶＳ１８６、及びＰＲＯＭ／ヒューズ出力１８８は、本明細書では「モジュール」として全て特徴付けされる場合がある。かかるモジュールは、様々な実施の形態の特定の実現について適切なように、ハードウェア回路、及び／又は１以上のプロセッサ及び／又はメモリ回路、オブジェクト及びオブジェクトのコレクションを含むソフトウェアプログラムモジュール、及び／又はファームウェア、及びそれらの組み合わせを含む場合がある。
【００１５】
また、様々な実施の形態の装置及びシステムは、プロセッサを含む集積回路以外の応用、並びにディスプレイ及びグラフィカルユーザインタフェースを含むシステム以外の応用で使用することができ、したがって、様々な実施の形態はそのように限定されないことを理解されたい。装置１００及びシステム１１０の説明は、様々な実施の形態の構造に関する一般的な理解を提供することが意図されており、本明細書で記載される構造を利用した装置及びシステムの全てのエレメント及び機能の完全な記載としての役割を果たすことが意図されていない。
【００１６】
各種実施の形態の新たな装置及びシステムを含む応用は、高速コンピュータで使用される電子回路、通信及び信号処理回路、モデム、プロセッサモジュール、エンベデッドプロセッサ、及び、マルチレイヤ、マルチチップモジュールを含む特定用途むけのモジュールを含んでいる。かかる装置及びシステムは、テレビジョン、セルラー電話、パーソナルコンピュータ、ワークステーション、ラジオ、ビデオプレーヤ、自動車等のような様々な電子システムでのサブコンポーネントとして更に含まれる場合がある。
【００１７】
多くの異なる実施の形態が実現される場合がある。たとえば、図４は、各種実施の形態に係る幾つかの方法を説明するフローチャートである。本方法４１は、ブロック４２１で、電圧の上限又はクロック周波数の限度のような、各種推薦される動作状態を含む、各種指定された状態に関連する回路又はコンポーネントに電力を印加することで（任意に）始まる。本方法４１１は、ブロック４２９で（おそらく集積回路に関連する）仕様外の状態を過電圧状態として検出するような、１以上の動作状態を検出する前に、ブロック４２５で、ある時間周期について待ち続ける場合がある。したがって、本方法４１１は、ブロック４２５で、指定された量について仕様外の状態を検出するのを抑制されることを含む場合がある。指定された時間量は、１以上のクロック周期の期間を含み、及び／又は電源オンリセット時間と関連される場合がある。また、本方法４１１は、ブロック４３１で１以上の検出された動作状態をフィルタリングすることを含む場合がある。また、かかるフィルタリングは、１以上のクロック周期の期間について実行される場合がある。
【００１８】
ブロック４４１で、本方法４１１は、１以上の動作状態を１以上の対応する指定された状態と比較することを含んでいる。ブロック４５１で動作状態の１つが仕様外であると判定された場合、本方法４１１は、ブロック４６１で仕様外の状態を記録し、ブロック４６５で記録を確認すること（たとえば、焼付き（burning）後に額面（face  value）が安定であることを確認する）で継続される場合がある。ブロック４６１での仕様外の状態を記録することは、インデリブルメモリのような不揮発性メモリに仕様外の状態を記録することを更に含む場合がある。動作状態が仕様内にある場合、本方法４１１は、ブロック４４１で動作と指定された状態との更なる比較で継続する場合がある。
【００１９】
本方法４１１は、指定された数の記録された仕様外の状態を判定することでブロック４６１からブロック４７１に継続する場合がある。たとえば、仕様外の状態に遭遇される幾つか特定の数の動作セッションに到達したかを判定することが望まれる場合がある。発生の数は、ブロック４７５で１以上のサインの値を読取ることで決定することができる。したがって、指定された数の記録された仕様外の状態を決定することは、ブロック４７５で不揮発性メモリに記憶された１以上のサインの値を読取ることを含んでいる。ブロック４７１で決定されるように、選択された発生回数に到達した場合、この状況は、ブロック４８１で示される場合がある。いずれかのケースでは、本方法４１１は、ブロック４４１で動作と指定された状態との更なる比較で継続する場合がある。
【００２０】
したがって、実施の形態では、本方法４１１は、ステップ４４１で動作電圧を指定された電圧と比較し、ブロック４６１で過電圧状態を記録し、及び、ブロック４７１で指定された数の記録された過電圧状態を判定することを含む場合がある。ブロック４６１で過電圧の状態を記録することは、動作電圧が選択された数ミリボルトのような選択された量だけ指定された電圧よりも大きい場合にのみ、過電圧の状態を記録することを更に含んでいる。選択された量は、期待される雑音の電圧値の少なくとも約２倍のような、ノイズフィギュア又は雑音の電圧値を含む、１以上の動作状態について許容される量に基づく場合がある。また、本方法４１１は、ブロック４６５で過電圧の状態の記録を検証することを含む場合がある。
【００２１】
実施の形態では、本方法４１１は、ブロック４６１で不揮発性メモリにおける集積回路で生じる少なくとも１つの過電圧状態を記憶し、ブロック４７１で指定された数の記憶された過電圧状態を判定し、ブロック４８１で指定された数の記憶された過電圧を示す（たとえば、割込み又は特定のマシン向けのレジスタを使用する）ことを含む場合がある。
【００２２】
なお、本実施の形態で記載された方法は、記載された順序で、又はいずれか特定の順序で実行される必要がない。さらに、本実施の形態で識別された方法に関して記載された各種の動作は、シリアル又はパラレル方式で実行することができる。パラメータ、コマンド、オペランド、状態及び他のデータを含む情報は、１以上の搬送波の形式で送出及び受信することができる。
【００２３】
この開示の内容を読んで理解することで、当業者であれば、ソフトウェアプログラムで定義された機能を実行するためにコンピュータベースのシステムステムでコンピュータ読取り可能なメディアからソフトウェアプログラムを開始するやり方を理解されるであろう。当業者であれば、本実施の形態で開示された方法を実現及び実行するために設計された１以上のソフトウェアプログラムを生成するために利用される各種プログラム言語を更に理解されるであろう。プログラムは、Ｊａｖａ（登録商標）、Ｓｍａｌｌｔａｌｋ、又はＣ＋＋のようなオブジェクト指向のフォーマットで構造化される場合がある。代替的に、プログラムは、ＣＯＢＯＬ又はＣのようなプロシージャ言語を使用した手続き指向のフォーマットで構造化される場合がある。ソフトウェアコンポーネントは、リモートプロシージャコールを含む、アプリケーションプログラムインタフェース又はインタープロセス通信技術のような、当業者にとって公知である多数のメカニズムを使用して伝達する場合がある。本発明の様々な実施の形態の教示は、ＨＴＭＬ（Hypertext  Markup  Language）及びＸＭＬ（Extensible  Markup  Language）を含む、特定のプログラミング言語又は環境に制限されない。
【００２４】
図９は、様々な実施の形態に係るマシンアクセス可能な媒体５８９を含む製品５８５のブロック図である。したがって、別の実施の形態は、アクセスされたときに、マシンが実行する各種の動作を生じる関連するデータ５９１，５９５（たとえば、コンピュータプログラム命令）を有するメモリ５８９（たとえば、電気、光、又は電磁的な導体を含むメモリ）のようなマシンアクセス可能な媒体を有する、コンピュータ、メモリシステム、磁気又は光ディスク、他のストレージ装置、及び／又はいずれかのタイプの電子装置又はシステムのような製品５８５を含む場合があることが分かるであろう。これらのアクションは、動作電圧を指定された電圧と比較すること、過電圧の状態を記録すること、指定された数の記録された過電圧の状態を決定することを含む場合がある。他の動作は、少なくともクロック周期の期間の動作電圧をフィルタリングすること、（たとえば、期待される雑音の電圧値よりも少なくとも約２倍といった）選択された量だけ指定された電圧よりも動作電圧が大きい場合にのみ過電圧状態を記録し、更に、過電圧の状態の記録を検証することを含んでいる。
【００２５】
試験又は推薦された使用状態以外で、マイクロプロセッサを含む様々なコンポーネントの動作の間にイベントを動的に検出し、サインとして永続的に記録することで、故障の分析が容易になる。かかる動作は、様々な実施の形態によりイネーブルにされるように、不正行為の防止を支援し、コンポーネントの修復及び／又は置き換えに必要とされる時間及びコストを低減する。
【００２６】
本発明の一部を形成する添付図面は、例示を経由して、限定するものではない、主要な目的な目的が実施される特定の実施の形態を示している。例示される実施の形態は、当業者が本実施の形態で開示された教示を実施可能にするように十分に詳細に記載される。他の実施の形態は、これより利用及び導出され、構造的及び論理的な置き換え及び変形がこの開示の範囲から逸脱することなしに行われる。したがって、この詳細な説明は、限定的な意味で行われるものではなく、様々な実施の形態の範囲は、かかる請求項がタイトル付けされる完全な等価な範囲に沿って特許請求の範囲によってのみ定義される。
【００２７】
したがって、本明細書において特定の実施の形態が例示及び記載されたが、同じ目的を達成するために計算されるアレンジメントは、図示される特定の実施の形態について置き換えられる場合がある。この開示は、本発明の様々な実施の形態の一部又は全部の適合又はバリエーションをカバーすることが意図される。先の実施の形態と本明細書で特に記載されない他の実施の形態との組み合わせは、先の記載を検討することで当業者にとって明らかとなるであろう。
【００２８】
この開示の要約は、技術的な開示を読者が迅速に確認できる要約を必要とする３７Ｃ．Ｆ．Ｒ  §１．７２（ｂ）に従って提供される。請求項の範囲又は意味を解釈又は制限するために私用されないことを理解されたい。さらに、上述された発明の詳細の説明では、開示を効率化する目的で１つの実施の形態に様々な機能が互いにグループ化されていることがわかる。この開示の方法は、本発明の特許請求される実施の形態がそれぞれの請求項で明治的に引用されるよりも多くの機能必要とする意図を反映するとして解釈されるべきではない。むしろ、以下の請求項が反映するように、本発明の主題は、１つの開示された実施の形態の全ての機能よりも少ない。したがって、以下の請求項は、発明の詳細な説明に組み込まれ、それぞれの請求項はそれ自身が個別の好適な実施の形態として示している。
【図面の簡単な説明】
【００２９】
【図１】本発明の様々な実施の形態に係る装置及びシステムのブロック図である。
【図２】本発明の様々な実施の形態に係る過電圧検出器の回路ブロック図である。
【図３】本発明の様々な実施の形態に係るフィルタリング及びヒューズロジックの回路ブロック図である。
【図４】本発明の様々な実施の形態に係る幾つかの方法を例示するフローチャートである。
【図５】本発明の様々な実施の形態に係るマシンアクセス可能な媒体を含む製品のブロック図である。
【図１】
2007525740.tif 000003
【図２】
2007525740.tif 000004
【図３】
2007525740.tif 000005
【図４】
2007525740.tif 000006
【図５】
2007525740.tif 000007
【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
インデライブルメモリにおける集積回路で生じる少なくとも１つの入力の過電圧の動作状態を記憶するステップを含む、
ことを特徴とする方法。
【請求項２】
指定された数の記憶された過電圧の状態を判定するステップを更に含む、
請求項１記載の方法。
【請求項３】
前記指定された数の記憶された過電圧の状態を示すステップを更に含む、
請求項２記載の方法。
【請求項４】
動作状態を指定された状態と比較するステップと、
インデライブルメモリに仕様外の入力の動作状態を記録するステップと、
指定された数の記録された仕様外の入力の動作状態を判定するステップと、
を含むことを特徴とする方法。
【請求項５】
前記仕様外の入力の動作状態を過電圧の状態として検出するステップを更に含む、
請求項４記載の方法。
【請求項６】
指定された時間について前記仕様外の入力の動作状態を検出するのを抑制するステップを更に含む、
請求項４記載の方法。
【請求項７】
前記指定された時間は、電源オンのリセット時間に関連する、
請求項６記載の方法。
【請求項８】
前記指定された状態は、集積回路に関連する推薦された動作の入力電圧の上限を含む、
請求項４記載の方法。
【請求項９】
前記仕様外の入力の動作状態を記録するステップは、クロック速度を記録するステップを含む、
請求項４記載の方法。
【請求項１０】
前記インデリブルメモリは、少なくとも１つのヒューズを有する、
請求項９記載の方法。
【請求項１１】
前記指定された数の記録された仕様外の入力の動作状態は、前記インデリブルメモリに記憶されたサインの値を読取るステップを更に含む、
請求項４記載の方法。
【請求項１２】
関連するデータを有するマシンアクセス可能な媒体を有する製品であって、
前記データは、アクセスされたときに、
入力の動作電圧を指定された電圧と比較するステップと、
インデリブルメモリに入力の過電圧の動作状態を記録するステップと、
指定された数の記録された過電圧の状態を判定するステップと、
が実行される、
ことを特徴とする製品。
【請求項１３】
前記データは、アクセスされたときに、少なくとも１クロック周期の期間について入力の動作電圧をフィルタリングするステップが実行される、
請求項１２記載の製品。
【請求項１４】
前記入力の過電圧の動作状態を記録するステップは、前記入力の動作電圧が選択された量だけ前記指定された電圧よりも大きい場合にのみ、前記入力の過電圧の動作状態を記録するステップを更に含む、
請求項１２記載の製品。
【請求項１５】
前記選択された量は、期待される雑音の電圧値よりも少なくとも約２倍大きい、
請求項１４記載の製品。
【請求項１６】
前記データは、アクセスされたとき、前記入力の過電圧の動作状態の記録を検証するステップが実行される、
請求項１２記載の製品。
【請求項１７】
電子回路により遭遇される選択された数の仕様外の入力の動作状態を記憶するためのインデライブルメモリを有する、
ことを特徴とする装置。
【請求項１８】
前記選択された数の仕様外の入力の動作状態の少なくとも１つの存在を判定するため、前記インデリブルメモリに結合される検出モジュールを更に有する、
請求項１７記載の装置。
【請求項１９】
前記検出モジュールに結合されるフィルタモジュールを更に有する、
請求項１８記載の装置。
【請求項２０】
前記インデライブルメモリはヒューズを有する、
請求項１７記載の装置。
【請求項２１】
前記仕様外の入力の動作状態の少なくとも１つは、過電圧の状態を有する、
請求項１７記載の装置。
【請求項２２】
電子回路により遭遇される選択された数の仕様外の入力の動作状態を記憶するためのインデライブルメモリと、
前記電子回路に結合されるディスプレイと、
を有することを特徴とするシステム。
【請求項２３】
前記電子回路はマクロプロセッサを有する、
請求項２２記載のシステム。
【請求項２４】
前記選択された数の仕様外の入力の動作状態のそれぞれ１つを検出するためのロジックモジュールを更に有する、
請求項２２記載のシステム。
【請求項２５】
前記ロジックモジュールは、アナログーデジタルコンバータを有する、
請求項２４記載のシステム。
【請求項２６】
前記電子回路に関連される動作状態と比較される指定された状態を記憶するためのメモリを更に有する、
請求項２２記載のシステム。
【請求項２７】
前記指定された状態は、集積回路に関連される推薦される動作の入力電圧の上限を有する、
請求項２６記載のシステム。
【請求項２８】
前記集積回路は、マイクロプロセッサを有する、
請求項２７記載のシステム。
【請求項２９】
前記選択された数の仕様外の入力の動作状態を判定する基本入力−出力システムを更に有する、
請求項２２記載のシステム。
【国際調査報告】
2007525740.tif 000008
2007525740.tif 000009